(57)【要約】   【課題】  組帯の組立て等にマジックテープ又は面ファスナーを用いるので簡単に組帯を装着できて着崩れをしなく、帯を締める技術を全く必要としない、また胴帯の装着に布ゴムとＭＴ又は面ファスナーを用いるので帯を締めていても苦しくなく、体にぴったりとフィットする簡易組帯の提供  【解決手段】  お太鼓等の各種御飾り部の御飾り部帯８への仮着並びに御飾り部帯８の組立てに、互いに仮着するようＭＴ又は面ファスナーを縫い付けた御飾り部帯８と、胴帯７端部に布ゴム６とＭＴ又は面ファスナーが縫い付けられて胴締めが調整できる胴帯７とからなる組帯。 【選択図】図３
2007063686.tif 000002
【特許請求の範囲】
【請求項１】
御飾り部を有する帯と胴帯とからなる組帯であって、該御飾り部を有する帯に各種御飾り部を仮着するに際し、各種御飾り部を仮着するための該帯の必要部位とそれに対応した御飾り部の必要部位とに、互いに仮着するようマジックテープ又は面ファスナーを設け、且つ御飾り部を有する帯を所定の帯幅で折り畳むのに必要な帯部位に、互いに仮着するようマジックテープ又は面ファスナーを設けた御飾り部を有する帯（Ａ）と、胴帯端部に布ゴムとマジックテープ又は面ファスナーが縫い付けられ、胴帯他端のそれに対応した位置に複数個のマジックテープ又は面ファスナーが縫い付けられて、互いに仮着でき、且つ仮着部が伸縮自在であって胴締めが調整できる胴帯（Ｂ）からなることを特徴とする簡易組帯。
【請求項２】
御飾り部がお太鼓、まくら及び／又はツノであることを特徴とする、請求項１記載の簡易組帯。
【請求項３】
御飾り部帯（Ａ）上の胴帯（Ｂ）に係止させる部位にプラスチック等で形成された引掛部が設けられることを特徴とする、請求項１又は２記載の簡易組帯。
【請求項４】
組帯の裏地にサテン、ナイロン地等の滑り易い布素材を用いることを特徴とする、請求項１〜３のいずれかに記載の簡易組帯。
【発明の詳細な説明】
【技術分野】
【０００１】
本発明は、御飾り部を有する帯（単に御飾り部帯と言う）と胴帯からなる組帯であって、該御飾り部帯、胴帯とを組立て組帯とするに当たり、各種御飾り部の御飾り部帯への仮着並びに御飾り部帯の組立てに、互いに仮着するようマジックテープ（単にＭＴと言う）又は面ファスナーを縫い付けた御飾り部帯（Ａ）と、胴帯端部に布ゴムとＭＴ又は面ファスナーが縫い付けられて、互いに仮着でき、且つ仮着部が伸縮自在であって胴締めが調整できる胴帯（Ｂ）からなる簡易組帯に関する。
更に、本発明の簡易組帯によると、組帯の組立て等にＭＴ又は面ファスナー  を用いるので簡単に組帯を装着できて着崩れをしなく、帯を締める技術を全く必要としない、胴帯の装着に布ゴムとＭＴ又は面ファスナーを用いるので帯を締めていても苦しくなく、体にぴったりとフィットすると言う簡易組帯を提供できる。
【背景技術】
【０００２】
従来、和服を着る時に着用する帯は、１本の長い帯の一部を２つ折りにして胴に巻付け、身体の後で強く結んだり余りの部分でお太鼓等の帯飾り部を作っており、手数がかかるだけでなく、後で結んだり、帯飾り部を作るのが困難で、初心者は綺麗な帯姿にならない課題がある。このために、胴に巻き付ける巻帯２と、お太鼓まくら３を巻帯の背面に取り付けた太鼓帯とからなる組帯が提案されている（特許文献１）。
【０００３】
しかし、従来の組帯では、巻帯を胴に着崩れしないようにきつく巻付けて身体の後で止着し、止着した重なり部分に背後で別の帯を使って帯飾り部を形成するか、予めお太鼓等に形成した帯飾り部を差込金具等で取り付けた後、帯締めで固定させるようにしている。
従って、お太鼓等の帯飾り部を背後に形成させる点では従来の帯と変わりがなく、帯飾り部の形成時に屡後向きに身体をねじって鏡に映した後姿を見ながら整形や修正をする必要があり、形を整えるのに苦労している。
【０００４】
これらの点を解決するために、胴に巻き付ける巻帯１と、この巻帯の背後に帯飾り部３、４を分割した組帯であって、巻帯の裏地に布との滑りの良い生地を用い且つ巻帯の裏地の滑り易さを補うために巻帯の両端に相対する面ファスナー１３、１４を設け止着させ、巻帯の胴締めに弾性紐２２、２３を用いる組帯が示されている（特許文献２）。
この場合の面ファスナーは、滑り易いサテンのような裏地１１を帯地に縫い合わせ止着するだけの作用（段落番号６）であり、また、巻帯の胴締めに弾性紐の使用は巻帯の胴からの脱落を或る程度防止できるが、組帯とは別に常に弾性紐を用意する必要があり煩わしい。
【０００５】
お太鼓帯１と半幅帯状の胴帯５とからなり、胴帯５をお太鼓帯１の内側に通してお太鼓１を胴帯５に接合した和服用簡易組帯であって、太鼓帯１の内側で胴帯５の胴部分２の裏面に一部縫着されたゴム弾性胴巻きベルト６が設けられ、胴巻きベルト６と胴帯５の裏面端部に夫々ベルベット式ファスナー７が取付けられた簡易組帯が示されている（特許文献３）。
この場合、ゴム弾性胴巻きベルト６は太鼓部分１を胴帯５に固定するだけの役目であり、本発明のように胴帯５の胴への巻き締めの調整機能は全くない。
また、ベルベット式ファスナー７は、ゴム弾性胴巻きベルト６と胴帯５との裏面端部に取り付けられ、ゴム弾性胴巻きベルト６と胴帯５との仮着に役立っているだけであり、本発明のように胴帯による胴締め調整の役目は全くない。
【０００６】
また、外側帯２と内側帯３とを一体化したお太鼓帯１と、前帯１０とそれとは別体の片
面に起毛布２２を設けた装着バンド２０とのとの作り組帯が示され、しかも帯の胴締めは先ず装着バンド２０の巻き付け、面ファスナー２１で係止し、別に前帯１０を装着バンド２０の上から巻き付け、前帯１０の先端をお太鼓帯１に挟み、面ファスナー１４を装着バンド２０の起毛布２２に係止した組帯が示されている（特許文献４）。
この場合、帯による胴の巻き締めには、予め装着バンド２０によるものであって簡単でないが、本発明のように胴帯の端部に設けた布ゴムとその上に設けたＭＴとにより簡単且つ確実に、胴の巻き締めが行えるものではない。
また、面ファスナー１４、２１の使用も特殊なケースに限られるので、本発明のように組帯の組立ての全ての部位に適用できて楽に組帯の形成が行えるものではない。
【０００７】
【特許文献１】特開平７−１０２４０２号公報
【特許文献２】特開２００１−９８４０８号公報
【特許文献３】登録実用新案第３０５５４２２号公報
【特許文献４】特開平９−７８３２３号公報
【発明の開示】
【発明が解決しようとする課題】
【０００８】
以上のように、従来の組帯では、胴帯の巻き締めや各種御飾り部の装着が容易になるようにＭＴや面ファスナーを利用することは部分的に行われていた。
しかし、これらのＭＴや面ファスナーの利用は、組帯等の特定の部位に限られているのが現状であった。
また、胴帯による胴締め具合も、ずり落ちないようにきつく締めるか、弾性紐を用いるか、胴帯とは別体にゴム弾性胴巻きベルトや装着バンドを巻付ける程度のことであって、胴締めが簡単且つ容易に行えるものではない。
【課題を解決するための手段】
【０００９】
本発明は、上記する従来の公知技術の課題に鑑み、帯の仮着にＭＴ又は面ファスナーを用いて簡単に組帯を装着できて着崩れをしなく、また胴帯端部に布ゴムとＭＴ又は面ファスナーが縫い付けられて、互いに仮着でき、且つ仮着部が伸縮自在であって胴締めが調整できる簡易組帯のアイデアを思い付くに至った。
即ち、お太鼓等の御飾り部帯８と胴帯７とからなる組帯であって、お太鼓等の各種御飾り部の御飾り部帯８への仮着並びに御飾り部帯８の組立てに、互いに仮着するようマジックテープ（単にＭＴと言う）又は面ファスナーを縫い付けた御飾り部帯８と、胴帯７端部に布ゴムとＭＴ又は面ファスナーが縫い付けられて互いに仮着でき、且つ仮着部が伸縮自在であって胴締めが調整できる胴帯７であって、しかも、胴帯７に係止する御飾り部帯上の部位にプラスチック等の引掛部２を設けることにより、本発明に係る簡易組帯を完成できることを見出した。
【発明の効果】
【００１０】
（１）帯の仮着にＭＴ又は面ファスナーを用いるから簡単に組帯を装着できて着崩れをしなく、また帯を締める技術を全く必要としない。
（２）胴帯端部に布ゴムとＭＴ又は面ファスナーとの併用により帯を締めていても苦しくなく、体にぴったりとフィットする。
（３）組帯を２つの帯に簡単に分離できて組帯の解体が容易であり、しかも従来の「組帯」と違って折り畳んで薄くなるので、持ち運びに大変便利で且つ組帯の整理・収納が容易である。
（４）本発明の組帯は、帯を締める技術を全く必要としない、着物の着付けにおける革命的な帯の提供に技術的意義がある。
【発明を実施するための最良の形態】
【００１１】
以下、図面に従って本発明を説明する。
図１は、本発明の組帯を構成する胴帯（Ｂ）を説明する模式図であり、（イ）は帯１表にＭＴ又は面ファスナーを縫い付けた状態を示し、（ロ）は帯１裏にＭＴ又は面ファスナーを縫い付けた状態を示し、（ハ）は胴帯端部に布ゴム６とＭＴを縫い付けた状態を示し、（ニ）は布ゴム６とＭＴ付き胴帯（Ｂ）により胴を巻き締めした状態を示す模式図である。
図２は、本発明の組帯を構成する御飾り部帯（Ａ）を説明する模式図であり、（イ）は御飾り部帯（Ａ）の帯１’表面にＭＴ又は面ファスナーを縫い付け、且つ胴帯（Ｂ）に御飾り部帯（Ａ）を引掛ける引掛部２を設けた状態を示し、（ロ）は御飾り部帯（Ａ）の裏面にお太鼓まくら３、ツノ４を仮着するためのＭＴ又は面ファスナーを帯１’に縫い付けた状態を示し、（ハ）はＭＴ又は面ファスナーを縫い付けたお太鼓まくら３、ツノ４を示し、（ニ）は御飾り部帯（Ａ）を一部折り返した状態を示し、（ホ）は完全に折り返してお太鼓帯とし、ツノ４をその中に差し込んだ状態を示す模式図である。
図３は、組帯に組み立てた状態を示す斜視図である。
【００１２】
即ち、本発明は、基本的に、お太鼓等の御飾り部帯８と胴帯７とからなる組帯であって、該御飾り部帯８に各種御飾り部を仮着するに際し、各種御飾り部を仮着するための該帯８の必要部位とそれに対応した御飾り部の必要部位とに、互いに仮着するようＭＴ又は面ファスナーを設け、且つ御飾り部を有する帯８を所定の帯幅で折り畳むのに必要な帯部位に、互いに仮着するようＭＴ又は面ファスナーを設けた該御飾り部帯８と、胴帯７端部に布ゴム６とＭＴ又は面ファスナー１４が縫い付けられ、胴帯他端にそれに対応した位置にＭＴ又は面ファスナーが縫い付けられて、互いに仮着できて胴締めが調整できる胴帯７からなる簡易組帯である。
【００１３】
更に、本発明では、、胴帯７に係止する御飾り部帯上の部位にプラスチック製等の引掛部２、好ましくは引掛け易くするために、Ｕ字状の引掛部が良い。
該引掛部２には、美観と触感上の観点から、ビロード等の触感の良い布地を被せても良い。
本発明の組帯において、御飾り部は、代表的にはお太鼓であり、更に付随的にお太鼓まくら、ツノ等を指す。
組帯に使用するＭＴ又は面ファスナーの数は、帯同士又は御飾り部と帯とが十分に仮着するなら特に制限されないが、（イ）ＭＴの場合には、ＭＴは狭い面積であって仮着に十分な強度が得られるように、複数個、例えば線状両端部の２点、三角形の頂点の３点、四角又は矩形の各辺端の４点等を設けると良いし、（ロ）面ファスナーの場合には、面ファスナーは広くて仮着に十分な強度が得られるなら１個でも良い。
【００１４】
次に、本発明の簡易組帯を製作するには、まず帯を二つの部分に分けて製作し、装着する時に一体化になるような図示した構造とした。
この組帯は、従来の「組帯（つくり帯）と異なり、組帯を装着させる人体の前で帯端部を接合し、その後にお太鼓等の御飾り部を持つ帯を装着し、時計周りに後に回す方式となる。
【００１５】
（１）胴帯７の作製
図１に示すように、胴帯７の下地としては、実際に帯を滑り易くするために、胴帯７よりやや小さめの下地に滑り易い繊維素材、例えばナイロン生地等の滑り易いサテン生地を縫い付け、胴回りの場合と同様に、帯地１の右端部の内側に１０ｃｍ程度の長さの布ゴム６を縫い付け、その上にＭＴ又は面ファスナー１４ａを縫い付けておく。
更に、胴帯７の胴回り部分の反対側の表面にＭＴ又は面ファスナー１４ｂを縫い込む。
【００１６】
（２）お太鼓帯８の作製
（ｉ）お太鼓帯８は、３段階に折り畳めるように予めその寸法を決めておく。  図２に示されるように、長さ１ｃｍ、幅３０ｃｍのお太鼓用帯地１’を用意する。まず、帯地１’の内側に当たる部分の最上部から１１ｃｍ位のところに帯地の裏側に１０ｃｍ角のＭＴ１２ａを縫い付け、お太鼓の内側に取付けられるように形状を整えておく。
それに対応して、お太鼓枕３の裏側に仮着用ＭＴ１２ｂを縫い付ける。
（ｉｉ）お太鼓帯８の裏地内側の最下部から１３ｃｍの位置にお太鼓作製用ＭＴ１１ｂを縫い付け、次にお太鼓帯８の表地の上方にＭＴ１１ａを同様に縫い付ける。
次に、お太鼓帯８の表面最上部にＭＴ１０ａを縫い付け、次にその裏地内側の下方にＭＴ１０ｂを縫い付ける。
（ｉｉｉ）引掛部２の設置
次に、お太鼓帯８の胴帯７への引掛を確保するために、お太鼓帯８の胴帯７への接合部に相当する部位に、プラスチック製の骨組みの表面に布地を被せたＵ字状引掛部２を縫い付ける。
お太鼓が固定するように、お太鼓の裏面の下側に布ゴムを縫い付け（図示なし）、その先端にプラスチック製ツノ４に布を被せたものを付けておく。
【００１７】
（３）具体的な組帯の装着方法
（ｉ）胴帯７の製作
図１に示されるように、胴帯７を身体の正面で接合し、ＭＴ１４ａ、ＭＴ１４ｂで仮着し、それを後に廻す。  次に、身体の前に胴帯７の接合部を持ってきて〔図１の（ニ）〕、片側のＭＴ１４ａ付き布ゴム６を引き、もう片側の接合部のＭＴ１４ｂに仮着して胴帯７とする。
（ｉｉ）お太鼓帯８の製作
図２に示されるように、お太鼓帯８は、まず、専用のお太鼓枕３をＭＴ１２ｂで帯１’裏面の先端のＭＴ１２ａに仮着させ、お太鼓の上部から２回折り曲げ、裏面と表面との１０ａと１０ｂ、１１ａと１１ｂを仮着すると、お太鼓が形成される〔図２の（ニ）、（ホ）〕。
次に、お太鼓の空洞部分に帯揚げ、帯締め（図示しない）を通した上で、時計回りに半回転させて、帯揚げ、帯締めを前で結べばお太鼓帯が完成する。
また、帯揚げ、帯締めを必要としないお太鼓帯の場合には、そのお太鼓用に予め作成し縫い付けておいた布ゴムとツノ片を使用する。
お太鼓の下側に付いている布ゴムを引き、ツノ４をを帯８の中に入れ込み、上記と同様に時計回りに半回転させれば完成する。
【産業上の利用可能性】
【００１８】
本発明の簡易組帯は、帯を締める技術を全く必要としないと言う着付けにおける革命的な帯を開発したものであり、且つ着物の着付けに対する知識の有無に係わらず、誰でも気軽に帯を装脱着できる点で既成の和服用のみならず、どのような帯もこのような組帯に作ることができ、応用範囲は広くて画期的な組帯を提供できる。
【図面の簡単な説明】
【００１９】
【図１】本発明の組帯を構成する胴帯（Ｂ）を説明する模式図であり、（イ）は帯表に、（ロ）は帯裏に、ＭＴ又は面ファスナーを縫い付けた状態を示し、（ハ）は胴帯端部に布ゴム６とＭＴを縫い付けた状態を示し、（ニ）は布ゴム６とＭＴ付き胴帯（Ｂ）により胴を巻き締めした状態を示す模式図である。
【図２】本発明の組帯を構成する御飾り部帯（Ａ）を説明する模式図であり、（イ）は御飾り部帯（Ａ）の表面にＭＴ又は面ファスナーを縫い付け、胴帯（Ｂ）に引掛部２を設けた状態を示し、（ロ）は御飾り部帯（Ａ）の裏面にお太鼓まくら３、ツノ４を仮着するためのＭＴ又は面ファスナーを縫い付けた状態を示し、（ハ）はＭＴ又は面ファスナーを縫い付けたお太鼓まくら３、ツノ４を示し、（ニ）は御飾り部帯（Ａ）を一部折り返した状態を示し、（ホ）は完全に折り返してお太鼓帯６とし、ツノ４をその中に差し込んだ状態を示す模式図である。
【図３】組帯に組み立てた状態を示す斜視図である。
【符号の説明】
【００２０】
１  胴帯の帯地
１’御飾り部帯の帯地
２  引掛部
３  お太鼓マクラ
４  ツノ
５  タレ
６  布ゴム
７  胴帯
８  お太鼓帯
１０ａ、１０ｂ  お太鼓帯上の仮着させるためのＭＴ
１２ａ、１２ｂ  お太鼓帯６の裏面とお太鼓マクラ３上のＭＴ
１３ａ、１３ｂ  お太鼓帯６の裏面とツノ４上のＭＴ
１４ａ、１４ｂ  胴帯７上の仮着させるためのＭＴ
【図１】
2007063686.tif 000003
【図２】
2007063686.tif 000004
【図３】
2007063686.tif 000005